(57)【特許請求の範囲】
【請求項１】
患者の診察内容が電子的に記録された電子カルテを、その患者の名前に対応付けて記憶する電子カルテ記憶部と、
前記電子カルテの利用が許可されている利用者の声紋を記憶する声紋記憶部と、
人が発した音声を取得して解析し、その音声の声紋と、その音声が表す音韻とを認識する音声認識部と、
前記音声認識部によって認識された声紋と前記声紋記憶部に記憶されている声紋との照合を行うことにより、前記音声を発した人が前記利用者であることの認証を行う利用者認証部と、
前記利用者認証部による前記認証が成功した場合に、前記音声認識部によって認識された音韻と同じ音韻を有する名前に対応付けられている電子カルテを前記電子カルテ記憶部から取得して表示するカルテ展開部とを備えたことを特徴とする電子カルテ自動展開システム。
【請求項２】
前記音声認識部が、前記音声を取得するにあたり、医師が患者を呼び出すための呼出装置を媒介して取得するものであることを特徴とする請求項１記載の電子カルテ自動展開システム。
【請求項３】
前記利用者認証部による前記認証が失敗した場合に、前記音声認識部および前記利用者認証部に、音声の取得、該音声の声紋認識、および該声紋に基づいた前記照合を再度実行させることにより、前記認証を再度行わせる利用者再認証部を備えたことを特徴とする請求項１記載の電子カルテ自動展開システム。
【請求項４】
前記カルテ展開部が、前記音声認識部によって認識された音韻と同じ音韻を有する氏名に対応付けられている電子カルテが前記電子カルテ記憶部に記憶されていない場合に、電子カルテの初診用の雛形を表示するものであることを特徴とする請求項１記載の電子カルテ自動展開システム。
【請求項５】
前記電子カルテ記憶部に記憶されている電子カルテに、前記音声認識部によって認識された音韻と同じ音韻を有する名前に対応付けられた、複数の患者の電子カルテが含まれている場合に、それら複数の患者を表示する同一名患者表示部を備えたことを特徴とする請求項１記載の電子カルテ自動展開システム。
【発明の詳細な説明】
【０００１】
【発明の属する技術分野】
本発明は、所望の電子カルテを表示する電子カルテ自動展開システムに関する。
【０００２】
【従来の技術】
従来、診療簿（カルテ）や処方箋などといった文書は、手書きで作成されていたが、近年における情報処理装置の普及に伴って、カルテや処方箋の内容が電子的に記録された電子カルテなどといった電子文書も普及し始めている。
【０００３】
また、このような電子文書を、医療機関内におけるローカル・エリア・ネットワーク（Ｌｏｃａｌ  Ａｒｅａ  Ｎｅｔｗｏｒｋ：ＬＡＮ）を介して管理して利用する、例えば電子カルテシステムやオーダリングシステムなどといったシステムも実現あるいは試験運用されている。
【０００４】
従来のこのような電子カルテシステムを利用する、医師や医療従事者などといった利用者が、この電子カルテシステムを用いて各患者の電子カルテを表示するには、まず、例えばパスワードやＩＤ（ｉｄｅｎｔｉｆｉｃａｔｉｏｎ）番号を利用者が入力することによって利用者を認証させることが必要である。また、例えば、この利用者が医師であって患者を診察する場合には、この医師の認証がなされた後にその患者の氏名や、その患者に対応付けられたＩＤ番号などといった各患者を識別する情報を入力することによって患者を指定し、その患者の電子カルテを表示させている。
【０００５】
【発明が解決しようとする課題】
ところで、電子カルテには、患者の個人情報や病気の履歴などといったプライバシー情報が記載されているため、電子カルテシステムを用いて電子カルテを表示させるにあたっては、上述したようなパスワードによる利用者の認証などといった手段を設けることによって、第三者による電子カルテシステムへの不正アクセスを制限する必要がある。
【０００６】
また、電子カルテシステムを利用する利用者は、上述したように医師や医療従事者であり、患者の容態によっては一刻も早く電子カルテを表示させて閲覧したい場合も考えられる。さらに、医師や医療従事者などといった利用者は、コンピュータを専門とする利用者ではないため、コンピュータの操作に不慣れな利用者も想定される。
【０００７】
ところが、上述したように、従来の電子カルテシステムでは、電子カルテが表示されるまでに、パスワードやＩＤ番号の入力などといった複数回数の入力操作が必要とされるため、操作が面倒で煩わしく、利用者にとって決して使い勝手の良いシステムとはいえない。
【０００８】
本発明は、上記事情に鑑み、信頼性が確保されるとともに、使い勝手の良い電子カルテ自動展開システムを提供することを目的とする。
【０００９】
【課題を解決するための手段】
上記目的を達成する本発明の電子カルテ自動展開システムは、
患者の診察内容が電子的に記録された電子カルテを、その患者の名前に対応付けて記憶する電子カルテ記憶部と、
上記電子カルテの利用が許可されている利用者の声紋を記憶する声紋記憶部と、
人が発した音声を取得して解析し、その音声の声紋と、その音声が表す音韻とを認識する音声認識部と、
上記音声認識部によって認識された声紋と上記声紋記憶部に記憶されている声紋との照合を行うことにより、上記音声を発した人が上記利用者であることの認証を試行する利用者認証部と、
上記利用者認証部による上記認証が成功した場合に、上記音声認識部によって認識された音韻と同じ音韻を有する名前に対応付けられている電子カルテを上記電子カルテ記憶部から取得して表示するカルテ展開部とを備えたことを特徴とする。
【００１０】
本発明の電子カルテ自動展開システムは、人が発した音声の声紋に基づいて利用者を認証し、その音声が表す音韻と同じ音韻を有する名前に対応付けられている電子カルテを取得して表示するものであるため、一度の発声で利用者が認証されるとともに、所望の電子カルテが表示される。従って、信頼性が確保されるとともに、例えばパスワードやＩＤ番号のキーボード入力などといった煩雑な入力操作から解放された、使い勝手の良い電子カルテ自動展開システムが提供される。
【００１１】
ここで、上記本発明の電子カルテ自動展開システムは、上記音声認識部が、上記音声を取得するにあたり、医師が患者を呼び出すための呼出装置を媒介して取得するものであることが好ましい。
【００１２】
一般に、医療機関内には呼出装置が備えられており、従来、医者が患者を診察するにあたっては、その呼出装置で患者を呼び出すとともに、キーボード入力などといった手段によってその患者の電子カルテを表示することが行われている。このような、従来より医療機関内に備えられている呼出装置と、本発明の電子カルテ自動展開システムとを接続し、その呼出装置を媒介して患者を呼び出す音声を取得するような電子カルテ自動展開システムによれば、医師がその呼出装置で患者を呼び出すと、その患者の電子カルテが自動で表示されるため、より使い勝手の良い電子カルテ自動展開システムが提供される。
【００１３】
また、上記本発明の電子カルテ自動展開システムは、上記利用者認証部による上記認証が失敗した場合に、上記音声認識部および上記利用者認証部に、音声の取得、その音声の声紋認識、およびその声紋に基づいた上記照合を再度実行させることにより、上記認証を再試行させる利用者再認証部を備えたものであることが好ましい。
【００１４】
一般に、人の声の調子は、常に同じであるとは限らず、発声時の体調などによって変化する。従って、上述したような利用者再認証部を備えた電子カルテ自動展開システムによれば、例えば、利用者の発声時の体調に起因した声の変化などによって認証が失敗した場合であっても、認証が再試行されるので、利用者にとって使い勝手が良い。
【００１５】
このような、上記利用者再認証部を備えた電子カルテ自動展開システムは、該利用者再認証部により再認証させられる認証を含めた、上記利用者認証部が試行する認証の最大回数を設定する回数設定部と、
上記回数設定部によって設定された最大回数と同じ回数の上記認証を上記利用者認証部が試行してもその認証に失敗した場合に、この電子カルテ自動展開システムを強制終了する強制終了部とを備えたものであることがさらに好ましい。
【００１６】
このような回数設定部と強制終了部とを備えた電子カルテ自動展開システムによれば、所定回数の認証の試行に失敗するとこの自動展開システムが強制終了されるので、例えば、第三者が不正にこの電子カルテ自動展開システムにアクセスして電子カルテを閲覧しようとするような状況において、その第三者の不正アクセスを遮断することができ、その結果、信頼性がより高められたシステムが実現される。
【００１７】
また、上記本発明の電子カルテ自動展開システムは、上記カルテ展開部が、上記音声認識部によって認識された音韻と同じ音韻を有する氏名に対応付けられている電子カルテが上記電子カルテ記憶部に記憶されていない場合に、電子カルテの初診用の雛形を表示するものであることも好ましい形態である。
【００１８】
このように、患者が初診患者であるか否かが、電子カルテ自動展開システム内で自動判断され、初診患者である場合に電子カルテの初診用の雛形が表示されるので、キーボード入力による初診用の雛形の表示などといった複雑な操作が不要な、患者が初診患者の場合であっても対応できる、より使い勝手の良いシステムが実現される。
【００１９】
また、上記本発明の電子カルテ自動展開システムは、上記電子カルテ記憶部に記憶されている電子カルテに、上記音声認識部によって認識された音韻と同じ音韻を有する名前に対応付けられた、複数の患者の電子カルテが含まれている場合に、それら複数の患者を表示する同一名患者表示部を備えたものであることが好ましい。
【００２０】
例えば同姓同名の患者同士など、同じ読みの名前を有する患者同士では、上述したような音声による患者の識別は不可能である。このような場合であっても、同一名患者表示部を備えた電子カルテ自動展開システムによれば、名前の読みが同じ複数の患者の一覧が表示されて利用者に判断が委ねられるので、利用者は複雑な操作をすることなく、所望の患者をその一覧の中から指定することができる。
【００２１】
このような、上記同一名患者表示部を備えた電子カルテ自動展開システムは、上記カルテ展開部が、該同一名患者表示部によって表示された複数の患者の中から一人の患者を指定され、その指定された患者の電子カルテを上記電子カルテ記憶部から取得して表示するものであることがさらに好ましい。
【００２２】
このように、同じ読みの名前を有する複数の患者の中から指定された一人の患者の電子カルテが表示されるので、例えば、同姓同名の患者が複数人登録されている場合であっても所望の患者の電子カルテを確実に表示することができる。
【００２３】
【発明の実施の形態】
以下、本発明の実施形態について説明する。
【００２４】
図１は、本発明の電子カルテ自動展開システムについての一実施形態を含むコンピュータシステムの一部分を示す概略構成図である。
【００２５】
この図１には、２台のクライアントマシン１００，２００と、１台のサーバマシン３００とを含むクライアントアンドサーバ型のコンピュータシステムが示されている。これらクライアントマシン１００，２００、およびサーバマシン３００は、医療機関内に設けられたローカル・エリア・ネットワーク（Ｌｏｃａｌ  Ａｒｅａ  Ｎｅｔｗｏｒｋ：以下、ＬＡＮと称する）４００を介して相互に接続されており、クライアントマシン１００，２００とサーバマシン３００との間では、遠隔手続き呼び出し（ＲＰＣ：Ｒｅｍｏｔｅ  Ｐｒｏｃｅｄｕｒｅ  Ｃａｌｌ）によって互いに同期をとりながら、後述する各種処理が実行される。また、サーバマシン３００は、本発明にいう電子カルテ記憶部の機能を担うハードウェアであるデータベース３１０と、本発明にいう声紋記憶部の機能を担うハードウェアであるデータベース３２０とを有する。尚、これら各部の機能については後述する。
【００２６】
クライアントマシン１００，２００は、それぞれ比較的小型のワークステーションまたはパーソナルコンピュータなどで構成されており、サーバマシン３００は、比較的大型のワークステーションなどで構成されている。
【００２７】
ここで、クライアントマシン１００，２００、およびサーバマシン３００は、外観構成上、各種プログラムを実行するＣＰＵや、各種プログラムやデータ等が保存されたハードディスク装置や、このハードディスク装置に格納されたプログラムが読み出されＣＰＵでの実行のために展開される主メモリや、情報や信号の授受を制御するＩ／Ｏインタフェースなどを内蔵した本体装置１０１，２０１，３０１を備えており、さらに、それら本体装置１０１，２０１，３０１からの指示に応じて表示画面１０２ａ，２０２ａ，３０２ａ上に画像や文字列を表示する画像表示装置１０２，２０２，３０２、本体装置１０１，２０１，３０１に、キー操作に応じた各種の情報を入力するキーボード１０３，２０３，３０３、および、表示画面１０２ａ，２０２ａ，３０２ａ上の任意の位置を指定することにより、その位置に表示されている例えばアイコン等に応じた指示を入力するマウス１０４，２０４，３０４を備えている。さらに、これらの本体装置１０１，２０１，３０１は、外観上、フレキシブルディスク（ＦＤ）を装填するためのＦＤ装填口１０１ａ，２０１ａ，３０１ａ、およびＣＤ−ＲＯＭを装填するためのＣＤ−ＲＯＭ装填口１０１ｂ，２０１ｂ，３０１ｂを有する。
【００２８】
また、図１には、音声を取得するマイクロフォン１０５，２０５と、このマイクロフォン１０５，２０５によって取得された音声を出力するスピーカ１０６，２０６とが示されている。これらマイクロフォン１０５，２０５とスピーカ１０６，２０６との組み合わせは、本発明にいう呼出装置の一例を示したものであって、ここでは、医療機関内に設けられた呼出装置を表している。クライアントマシン１００，２００には、その呼出装置のうちのマイクロフォン１０５，２０５が接続されている。
【００２９】
尚、クライアントマシン１００，２００に備えられた本体装置１０１，２０１は、本発明にいう音声認識部の機能を担うハードウェアである。また、サーバマシン３００に備えられた本体装置３０１は、本発明にいう利用者認証部、利用者再認証部、回数設定部、強制終了部、カルテ展開部、および同一名患者表示部それぞれの機能を担うハードウェアである。各部の機能については後述する。
【００３０】
以上説明した、医療機関内に設けられたコンピュータシステム上に本実施形態の電子カルテ自動展開システムの機能が組み込まれて運用される。
【００３１】
図２は、本発明の電子カルテ自動展開システムについての一実施形態を示す機能ブロック図である。
【００３２】
この図２に示す電子カルテ自動展開システム５００には、患者情報５０１と、利用者声紋情報５０２と、マイクロフォン５０３と、音声認識装置５０４と、利用者認証機能５０５と、利用者再認証機能５０６と、認証回数設定機能５０７と、不正認証時強制終了機能５０８と、患者氏名検索機能５０９と、同一氏名患者一覧表示機能５１０と、患者ＩＤ（ｉｄｅｎｔｉｆｉｃａｔｉｏｎ）検索機能５１１と、電子カルテ自動展開機能５１２と、初診時電子カルテ自動展開機能５１３と、画像表示装置５１４とが備えられている。
【００３３】
以下、図２に示す電子カルテ自動展開システム５００の各要素を説明する。
【００３４】
患者情報５０１は、患者の診察内容が電子的に記録された電子カルテが、その患者の氏名、および各患者に付された患者ＩＤ番号に対応付けられて記憶されたものである。この患者情報５０１は、本発明にいう電子カルテ記憶部の機能を担うハードウェアであるデータベース３１０（図１参照）の機能の一例を示すものである。
【００３５】
利用者声紋情報５０２は、この電子カルテ自動展開システム５００が設置されている医療機関の医師の声紋が記憶されたものである。医師には、患者情報５０１に記憶された電子カルテの利用があらかじめ許可されている。この利用者声紋情報５０２は、本発明にいう声紋記憶部の機能を担うハードウェアであるデータベース３２０（図１参照）の機能の一例を示すものである。
【００３６】
マイクロフォン５０３は、医師が診察する患者の氏名を発声することによってその患者を呼び出すための呼出装置のうちの、その患者を呼び出す際に発した医師の音声を取得するものである。このマイクロフォン５０３は、図１に示すクライアントマシン１００，２００に備えられたマイクロフォン１０５あるいはマイクロフォン２０５に相当するものであって、図１に示すスピーカ１０６あるいはスピーカ２０６と組み合わされることによって、本発明にいう呼出装置の一例を形成するものである。
【００３７】
音声認識装置５０４は、従来より知られている、人の発する音声の意味内容をコンピュータに理解させるための音声認識ソフトウェアと、人の発する音声から、従来より様々な分野で個人認証の一手段として使用されている声紋を抽出するためのソフトウェアとの組み合わせからなるものであって、マイクロフォン５０３を媒介して取得された医師の音声を解析し、その音声の声紋と、その音声が表す音韻とを認識するものである。この音声認識装置５０４は、本発明にいう音声認識部の機能の一例を示すものであり、その機能は、図１に示すクライアントマシン１００，２００の本体装置１０１，２０１に内蔵されたＣＰＵやＩ／Ｏインタフェースなどの組合せによって担われる。
【００３８】
利用者認証機能５０５は、音声認識装置５０４によって認識された声紋と、利用者声紋情報５０２に記憶されている声紋との照合を行うことにより、マイクロフォン５０３を媒介して音声を発した医師が、患者情報５０１に記憶された電子カルテの利用が許可されている医師であることの認証を試行するものである。この利用者認証機能５０５は、本発明にいう利用者認証部の機能の一例を示すものであり、その機能は、図１に示すサーバマシン３００の本体装置３０１に内蔵されたＣＰＵやＩ／Ｏインタフェースなどの組合せによって担われる。
【００３９】
利用者再認証機能５０６は、利用者認証機能５０５による認証が失敗した場合に、医師が患者を呼び出す際に発する音声を、マイクロフォン５０３を媒介して再度取得させ、その音声の声紋認識を音声認識装置５０４に再度実行させ、その再認識された声紋と、利用者声紋情報５０２に記憶されている声紋との照合を利用者認証機能５０５に再度実行させることにより、認証を再試行させるものである。この利用者再認証機能５０６は、本発明にいう利用者再認証部の機能の一例を示すものであり、その機能は、図１に示すサーバマシン３００の本体装置３０１に内蔵されたＣＰＵやＩ／Ｏインタフェースなどの組合せによって担われる。
【００４０】
認証回数設定機能５０７は、利用者再認証機能５０６により再認証させられる認証を含めた、利用者認証機能５０５が試行する認証の最大回数を設定するものである。この認証回数設定機能５０７は、本発明にいう回数設定部の機能の一例を示すものであり、その機能は、図１に示すサーバマシン３００に備えられたキーボード３０３あるいはマウス３０４、画像表示装置３０２、および本体装置３０１に内蔵されたＣＰＵなどの組合せによって担われる。
【００４１】
不正認証時強制終了機能５０８は、認証回数設定機能５０７によって設定された最大回数と同じ回数の認証を利用者再認証機能５０６が利用者認証機能５０５に再試行させても認証に失敗した場合に、この電子カルテ自動展開システム５００を強制終了するものである。この不正認証時強制終了機能５０８は、本発明にいう利用者認証部の機能の一例を示すものであり、その機能は、図１に示すサーバマシン３００の本体装置３０１に内蔵されたＣＰＵなどによって担われる。
【００４２】
患者氏名検索機能５０９は、利用者認証機能５０５による認証や再認証が成功した場合に、音声認識装置５０４によって認識された音韻と同じ音韻を有する氏名に対応付けられている電子カルテを患者情報５０１から検索し、取得するものである。この患者氏名検索機能５０９は、本発明にいうカルテ展開部の機能の一部分を示すものであり、この患者氏名検索機能５０９と、後述する患者ＩＤ検索機能５１１と、電子カルテ自動展開機能５１２と、初診時電子カルテ自動展開機能５１３とによって、本発明にいうカルテ展開部の機能の一例が構成されている。また、このカルテ展開部の機能の一例は、図１に示すサーバマシン３００の本体装置３０１に内蔵されたＣＰＵやＩ／Ｏインタフェースなどの組合せによって担われる。
【００４３】
同一氏名患者一覧表示機能５１０は、患者情報５０１に記憶されている電子カルテに、音声認識装置５０４によって認識された音韻と同じ音韻を有する氏名に対応付けられた複数の患者の電子カルテが含まれている場合に、それら複数の患者の氏名、およびそれら各患者に付された患者ＩＤ番号を表示するものである。この同一氏名患者一覧表示機能５１０は、本発明にいう同一名患者表示部の機能の一例を示すものであり、その機能は、図１に示すサーバマシン３００の本体装置３０１に内蔵されたＣＰＵやＩ／Ｏインタフェースなどの組合せによって担われる。
【００４４】
患者ＩＤ検索機能５１１は、同一氏名患者一覧表示機能５１０によって表示された複数の患者の中から所望の患者が医師によって判断され、その所望の患者の患者ＩＤ番号が入力されたことを受けて、その患者ＩＤ番号に対応付けて記憶された電子カルテを患者情報５０１から検索し、取得するものである。この患者ＩＤ検索機能５１１は、本発明にいうカルテ展開部の機能の一部分を示すものであり、図１に示すサーバマシン３００の本体装置３０１に内蔵されたＣＰＵやＩ／Ｏインタフェースなどの組合せによって担われる。
【００４５】
電子カルテ自動展開機能５１２は、患者氏名検索機能５０９によって患者情報５０１から検索され取得された電子カルテを表示するものである。また、この電子カルテ自動展開機能５１２は、患者情報５０１に記憶されている電子カルテに、音声認識装置５０４によって認識された音韻と同じ音韻を有する氏名に対応付けられた複数の患者の電子カルテが含まれている場合に、同一氏名患者一覧表示機能５１０によって表示された複数の患者のうちの、患者ＩＤ検索機能５１１によって患者情報５０１から検索され取得された所望の患者の電子カルテを表示するものでもある。この電子カルテ自動展開機能５１２は、本発明にいうカルテ展開部の機能の一部分を示すものであり、図１に示すサーバマシン３００の本体装置３０１に内蔵されたＣＰＵやＩ／Ｏインタフェースなどの組合せによって担われる。
【００４６】
初診時電子カルテ自動展開機能５１３は、音声認識装置５０４によって認識された音韻と同じ音韻を有する氏名に対応付けられている電子カルテが患者情報５０１に記憶されていない場合に、電子カルテの初診用の雛形を表示するものである。この初診時電子カルテ自動展開機能５１３は、本発明にいうカルテ展開部の機能の一部分を示すものであり、図１に示すサーバマシン３００の本体装置３０１に内蔵されたＣＰＵやＩ／Ｏインタフェースなどの組合せによって担われる。
【００４７】
画像表示装置５１４は、該当患者の電子カルテや、電子カルテの初診用の雛形が表示されるものである。この画像表示装置５１４は、図１に示すクライアントマシン１００，２００に備えられた画像表示装置１０２あるいは画像表示装置２０２に相当するものである。
【００４８】
図３は、本発明の電子カルテ自動展開システムの一実施形態における処理手順を示すフローチャートである。
【００４９】
以下、図２の機能ブロック図を参照しながら、図３のフローチャートを説明する。
【００５０】
まず、医師が、図２に示すマイクロフォン５０３に向かって、診察する患者の氏名を発声することによってその患者を呼び出す（図３のステップＳ１）。すると、医師が患者を呼び出した際に発した音声が、図２に示す音声認識装置５０４に取得されて解析され、この音声認識装置５０４で、その音声の声紋と、その音声が表す音韻とが認識される。
【００５１】
次に、図２に示す利用者認証機能５０５で、音声認識装置５０４によって認識された声紋と、利用者声紋情報５０２に記憶されている声紋との照合が行われることにより、マイクロフォン５０３で患者を呼び出した医師が、患者情報５０１に記憶された電子カルテの利用が許可されている医師であることの認証が試行される（図３のステップＳ２）。
【００５２】
図２に示す利用者認証機能５０５による認証が失敗した場合には（図３のステップＳ２：ＮＧ）、利用者再認証機能５０６は、例えば、「患者名を再度入力してください」といったメッセージを画像表示装置５１４に表示して医師に再度の発声を促して、医師が患者の氏名を発した音声を、音声認識装置５０４に再度取得させ（図３のステップＳ４）、その音声の声紋認識を音声認識装置５０４に再度実行させ、その再認識された声紋と、利用者声紋情報５０２に記憶されている声紋との照合を利用者認証機能５０５に再度実行させる。これにより、認証が再試行される。
【００５３】
このような利用者再認証機能によれば、医師の発声時の体調に起因した声の変化などによって認証が失敗した場合であっても、認証が再試行されるので、医師にとって使い勝手が良い。
【００５４】
ここで、利用者再認証機能５０６により再認証させられる認証を含めた、利用者認証機能５０５が試行する認証の回数は、図２に示す認証回数設定機能５０７で最大回数が事前に設定されており、この最大回数を超えていない場合であって（図３のステップＳ３：ＮＯ）、利用者認証機能５０５による認証が失敗した場合には（図３のステップＳ２：ＮＧ）、上述した利用者再認証機能５０６によって認証の再試行が繰り返し実行させられる。
【００５５】
また、認証回数設定機能５０７によって設定された最大回数と同じ回数の認証を試行しても認証に失敗した場合には（図３のステップＳ３：ＹＥＳ）、図２に示す不正認証時強制終了機能５０８によって、この電子カルテ自動展開システム５００が強制終了される（図３のステップＳ５）。
【００５６】
このような認証回数設定機能および不正認証時強制終了機能によれば、所定回数の認証の試行に失敗するとこの自動展開システムが強制終了されるので、例えば、第三者が不正にこの電子カルテ自動展開システムにアクセスして電子カルテを閲覧しようとするような状況において、その第三者の不正アクセスを遮断することができる。その結果、信頼性がより高められたシステムが実現される。
【００５７】
利用者認証機能５０５による認証や再認証が成功した場合には（図３のステップＳ２：ＯＫ）、成功した認証に用いられた音声が表す音韻と同じ音韻を有する氏名に対応付けられている電子カルテが、図２に示す患者氏名検索機能５０９によって検索され、患者情報５０１から取得される（図３のステップＳ６）。
【００５８】
ここで、図２に示す患者氏名検索機能５０９による検索の結果、認証が成功した際の音声が表す音韻と同じ音韻を有する氏名に対応付けられている電子カルテが患者情報５０１に記憶されていない場合は（図３のステップＳ６：ＮＧ）、図２に示す初診時電子カルテ自動展開機能５１３によって電子カルテの初診用の雛形が画像表示装置５１４に表示される（図３のステップＳ７）。
【００５９】
このような初診時電子カルテ自動展開機能によれば、患者が初診患者であるか否かが、電子カルテ自動展開システム内で自動判断され、初診患者である場合に電子カルテの初診用の雛形が表示されるので、キーボード入力による初診用の雛形の表示などといった複雑な操作が不要な、患者が初診患者の場合であっても対応できる、より使い勝手の良いシステムが実現される。
【００６０】
さらに、図２に示す患者氏名検索機能５０９による検索の結果、認証が成功した際の音声が表す音韻と同じ音韻を有する氏名に対応付けられている電子カルテが患者情報５０１に記憶されている場合であって（図３のステップＳ６：ＯＫ）、その電子カルテが１人の患者の電子カルテである場合は（図３のステップＳ８：ＮＯ）、図２に示す電子カルテ自動展開機能５１２によって、その患者の電子カルテが画像表示装置５１４に表示される（図３のステップＳ９）。
【００６１】
また、図２に示す患者氏名検索機能５０９による検索の結果、認証が成功した際の音声が表す音韻と同じ音韻を有する氏名に対応付けられている電子カルテが患者情報５０１に記憶されている場合であって（図３のステップＳ６：ＯＫ）、その電子カルテに、互いに同じ音韻を有する氏名に対応付けられた複数の患者の電子カルテが含まれている場合には（図３のステップＳ８：ＹＥＳ）、まず、図２に示す同一氏名患者一覧表示機能５１０によって、それら複数の患者の氏名、およびそれら各患者に付された患者ＩＤ番号が表示される。次に、図２に示す患者ＩＤ検索機能５１１で、この患者に対応する患者ＩＤ番号を医師が入力することによって、同一氏名患者一覧表示機能５１０によって表示された複数の患者の中から所望の患者が指定され、図２に示す電子カルテ自動展開機能５１２によって、その指定された患者の電子カルテが画像表示装置５１４に表示される（図３のステップＳ１０）。
【００６２】
このような同一氏名患者一覧表示機能によれば、例えば、同姓同名の患者などといった、上述したような音声による患者の識別が不可能な、同じ読みの氏名を有する患者が複数人登録されている場合であっても、これら複数の患者の一覧が表示されて医師に判断が委ねられるので、医師は複雑な操作をすることなく、所望の患者をその一覧の中から指定することができる。また、患者ＩＤ検索機能および電子カルテ自動展開機能によって、同じ氏名の患者の中から指定された患者の電子カルテが表示されるので、所望の電子カルテを確実に表示することができる。
【００６３】
以上説明したように、本実施形態の電子カルテ自動展開システムによれば、医師が呼出装置で患者を呼び出す音声の声紋に基づいて医師が認証され、その音声が表す音韻と同じ音韻を有する氏名に対応付けられている電子カルテが取得されて表示されるものであるため、通常、一度の発声で医師が認証されるとともに、所望の電子カルテの表示も実行される。従って、信頼性が確保されるとともに、例えばパスワードやＩＤ番号のキーボード入力などといった煩雑な入力操作から解放された、使い勝手の良い電子カルテ自動展開システムが提供される。
【００６４】
尚、本実施形態の説明では、医師が呼出装置で患者を呼び出す音声を取得する例を説明したが、本発明にいう音声認識部は、例えば看護婦などといった、医師以外の医療従事者が発した音声を取得するものであってもよいし、また、呼出装置を経ずに、電子カルテ自動展開システムに直接入力された音声を取得するものであってもよい。
【００６５】
また、本実施形態の説明では、本発明にいう電子カルテ記憶部で、電子カルテを患者の氏名に対応付けて記憶する例を説明したが、本発明にいう電子カルテ記憶部は、患者の氏名に限られるものではなく、例えば姓や名などに対応付けて電子カルテを記憶するものであってもよい。
【００６６】
以下、本発明の各実施態様を付記する。
【００６７】
（付記１）  患者の診察内容が電子的に記録された電子カルテを、その患者の名前に対応付けて記憶する電子カルテ記憶部と、
前記電子カルテの利用が許可されている利用者の声紋を記憶する声紋記憶部と、
人が発した音声を取得して解析し、その音声の声紋と、その音声が表す音韻とを認識する音声認識部と、
前記音声認識部によって認識された声紋と前記声紋記憶部に記憶されている声紋との照合を行うことにより、前記音声を発した人が前記利用者であることの認証を試行する利用者認証部と、
前記利用者認証部による前記認証が成功した場合に、前記音声認識部によって認識された音韻と同じ音韻を有する名前に対応付けられている電子カルテを前記電子カルテ記憶部から取得して表示するカルテ展開部とを備えたことを特徴とする電子カルテ自動展開システム。
【００６８】
（付記２）  前記音声認識部が、前記音声を取得するにあたり、医師が患者を呼び出すための呼出装置を媒介して取得するものであることを特徴とする付記１記載の電子カルテ自動展開システム。
【００６９】
（付記３）  前記利用者認証部による前記認証が失敗した場合に、前記音声認識部および前記利用者認証部に、音声の取得、該音声の声紋認識、および該声紋に基づいた前記照合を再度実行させることにより、前記認証を再試行させる利用者再認証部を備えたことを特徴とする付記１記載の電子カルテ自動展開システム。
【００７０】
（付記４）  前記利用者再認証部により再認証させられる認証を含めた、前記利用者認証部が試行する認証の最大回数を設定する回数設定部と、
前記回数設定部によって設定された最大回数と同じ回数の前記認証を前記利用者認証部が試行しても該認証に失敗した場合に、この電子カルテ自動展開システムを強制終了する強制終了部とを備えたことを特徴とする付記３記載の電子カルテ自動展開システム。
【００７１】
（付記５）  前記カルテ展開部が、前記音声認識部によって認識された音韻と同じ音韻を有する氏名に対応付けられている電子カルテが前記電子カルテ記憶部に記憶されていない場合に、電子カルテの初診用の雛形を表示するものであることを特徴とする付記１記載の電子カルテ自動展開システム。
【００７２】
（付記６）  前記電子カルテ記憶部に記憶されている電子カルテに、前記音声認識部によって認識された音韻と同じ音韻を有する名前に対応付けられた、複数の患者の電子カルテが含まれている場合に、それら複数の患者を表示する同一名患者表示部を備えたことを特徴とする付記１記載の電子カルテ自動展開システム。
【００７３】
（付記７）  前記カルテ展開部が、前記同一名患者表示部によって表示された複数の患者の中から一人の患者を指定され、その指定された患者の電子カルテを前記電子カルテ記憶部から取得して表示するものであることを特徴とする付記６記載の電子カルテ自動展開システム。
【００７４】
【発明の効果】
以上説明したように、本発明の電子カルテ自動展開システムによれば、信頼性が確保されるとともに、煩雑な操作が減少され、使い勝手の良い電子カルテ自動展開システムが提供される。
【図面の簡単な説明】
【図１】本発明の電子カルテ自動展開システムについての一実施形態を含むコンピュータシステムの一部分を示す概略構成図である。
【図２】本発明の電子カルテ自動展開システムについての一実施形態を示す機能ブロック図である。
【図３】本発明の電子カルテ自動展開システムの一実施形態における処理手順を示すフローチャートである。
【符号の説明】
１００，２００    クライアントマシン
３００    サーバマシン
１０１，２０１，３０１    本体装置
１０１ａ，２０１ａ，３０１ａ    ＦＤ装填口
１０１ｂ，２０１ｂ，３０１ｂ    ＣＤ−ＲＯＭ装填口
１０２，２０２，３０２，５１４    画像表示装置
１０２ａ，２０２ａ，３０２ａ    表示画面
１０３，２０３，３０３    キーボード
１０４，２０４，３０４    マウス
１０５，２０５，５０３    マイクロフォン
１０６，１０７    スピーカ
３１０，３２０    データベース
４００    ＬＡＮ
５００    電子カルテ自動展開システム
５０１    患者情報
５０２    利用者声紋情報
５０４    音声認識装置
５０５    利用者認証機能
５０６    利用者再認証機能
５０７    認証回数設定機能
５０８    不正認証時強制終了機能
５０９    患者氏名検索機能
５１０    同一氏名患者一覧表示機能
５１１    患者ＩＤ検索機能
５１２    電子カルテ自動展開機能
５１３    初診時電子カルテ自動展開機能
【図１】
0003934946.tif 000002
【図２】
0003934946.tif 000003
【図３】
0003934946.tif 000004